(57)【要約】【課題】下方コンクリートポールの先端部にコンクリートポール用筒形キャップを取り付けてポールの作用長を拡張するキャップ付きコンクリートポールをコストを低く抑えつつ、必要な剛性を確保した状態で提供する。【解決手段】本発明のキャップ付きコンクリートポール（１）は、所定長さの下方コンクリートポール（２）と、組立て時に下方コンクリートポール（２）の先端部に嵌合されてコンクリートポールの作用長を拡張する所定長さのコンクリートポール用筒形キャップ（３）と、を備え、前記コンクリートポール用筒形キャップ（３）が、下方コンクリートポール（２）に嵌合接続される下方鋼管部（６）と、上方筒形コンクリート部（７）と、が互いに接続固定されることによって構成されている。【選択図】  図６
2016113889.tif 000002
【特許請求の範囲】
【請求項１】
所定長さの下方コンクリートポール（２）と、組立て時に該下方コンクリートポール（２）の先端部に嵌合されてコンクリートポールの作用長を拡張する所定長さのコンクリートポール用筒形キャップ（３）とを備える、キャップ付きコンクリートポール（１）において、
前記コンクリートポール用筒形キャップ（３）は、前記下方コンクリートポール（２）に嵌合接続される下方鋼管部（６）と、上方筒形コンクリート部（７）と、が互いに接続固定されてなることを特徴とする、キャップ付きコンクリートポール。
【請求項２】
請求項１に記載のキャップ付きコンクリートポールにおいて、
前記下方鋼管部（６）は、下方コンクリートポール（２）に対して嵌合装着される嵌合部（６ａ）と、前記上方筒形コンクリート部（７）に埋設される鉄筋（８）を取付けられる鉄筋取付け部（９）とを具備し、
前記上方筒形コンクリート部（７）は、前記鉄筋（８）と、該鉄筋（８）の周囲にモールド成形されたコンクリート部（７ａ）と、を具備することを特徴とする、キャップ付きコンクリートポール。
【請求項３】
請求項１又は２に記載のキャップ付きコンクリートポールにおいて、
前記コンクリートポール用筒形キャップ（３）の前記下方鋼管部（６）は、肉厚（ｔ１）が４〜８ｍｍ、好ましくは６ｍｍの鋼管材料によって形成され、且つ前記コンクリートポール用筒形キャップ（３）の前記筒形コンクリート部（７）は、肉厚（ｔ２）が３５〜７０ｍｍのコンクリート材料によって形成されていることを特徴とする、キャップ付きコンクリートポール。
【請求項４】
所定長さの下方コンクリートポール（２）の先端部に嵌合されてコンクリートポールの作用長を拡張する所定長さのコンクリートポール用筒形キャップ（３）において、
前記コンクリートポール用筒形キャップ（３）は、前記下方コンクリートポール（２）に嵌合接続される下方鋼管部（６）と、上方筒形コンクリート部（７）とが、互いに接続固定されてなることを特徴とする、コンクリートポール用筒形キャップ。
【請求項５】
請求項４に記載のコンクリートポール用筒形キャップ（３）において、
前記下方鋼管部（６）は、下方コンクリートポール（２）に対して嵌合装着される嵌合部（６ａ）と、前記上方筒形コンクリート部（７）に埋設される鉄筋（８）を取付けられる鉄筋取付け部（９）と、を具備し、
前記上方筒形コンクリート部（７）は、前記鉄筋（８）と、該鉄筋（８）の周囲にモールド成形されたコンクリート部（７ａ）とを具備することを特徴とする、コンクリートポール用筒形キャップ。
【請求項６】
請求項４又は５に記載のコンクリートポール用筒形キャップ（３）において、
前記コンクリートポール用筒形キャップ（３）の前記下方鋼管部（６）は、肉厚（ｔ１）が４〜８ｍｍ、好ましくは６ｍｍの鋼管材料によって形成され、且つ前記コンクリートポール用筒形キャップ（３）の前記上方筒形コンクリート部（７）は、肉厚（ｔ２）が３５〜７０ｍｍのコンクリート材料によって形成されていることを特徴とする、コンクリートポール用筒形キャップ。
【請求項７】
コンクリートポール用筒形キャップ（３）の製造方法において、
下方鋼管部（６）の鉄筋取付け部（９）に複数の鉄筋（８）を固着する工程と、
前記複数の鉄筋（８）の周囲にコンクリート部（７ａ）をモールド成形して上方筒形コンクリート部（７）を形成する工程と、を備えることを特徴とする、コンクリートポール用筒形キャップの製造方法。
【請求項８】
請求項７に記載のコンクリートポール用筒形キャップの製造方法において、
前記下方鋼管部（６）は、肉厚（ｔ１）が４〜８ｍｍ、好ましくは６ｍｍの鋼管材料によって形成され、且つ前記上方筒形コンクリート部（７）は、肉厚（ｔ２）が３５〜７０ｍｍの鉄筋コンクリート材料によって形成されていることを特徴とする、コンクリートポール用筒形キャップの製造方法。
【請求項９】
所定長さの下方コンクリートポール（２）を地中に埋設する工程と、
コンクリートポール用筒形キャップ（３）の下方鋼管部（６）を前記下方コンクリートポール（２）に上端部に嵌合させて、前記コンクリートポール用筒形キャップ（３）及び下方コンクリートポール（２）を接続してキャップ付きコンクリートポール（１）を得る工程と、を備えることを特徴とする、キャップ付きコンクリートポールの取付方法。
【請求項１０】
請求項９に記載のキャップ付きコンクリートポールの取付方法において、
前記コンクリートポール用筒形キャップ（３）の前記下方鋼管部（６）は、肉厚（ｔ１）が４〜８ｍｍ、好ましくは６ｍｍの鋼管材料によって形成され、且つ前記コンクリートポール用筒形キャップ（３）の前記上方筒形コンクリート部（７）は、肉厚（ｔ２）が３５〜７０ｍｍのコンクリート材料によって形成されていることを特徴とする、キャップ付きコンクリートポールの取付方法。
【請求項１１】
請求項１乃至３の何れか１項に記載のキャップ付きコンクリートポール（１）において、
前記コンクリートポール用筒形キャップ（３）の下方鋼管部（６）は上方から下方へ向けて拡径される内周テーパ部を有し、且つ前記下方コンクリートポール（２）の上端部は、前記内周テーパ部と同一テーパ値の外周テーパ部を有し、前記鋼管部（６）の内周テーパ部が前記下方コンクリートポール（２）の外周テーパ部に密着的に嵌合される、キャップ付きコンクリートポール。
【請求項１２】
請求項４乃至６の何れか１項に記載のコンクリートポール用筒形キャップ（３）において、
前記筒形キャップ（３）の下方鋼管部（６）は上方から下方へ向けて拡径される内周テーパ部を有し、且つ前記下方コンクリートポール（２）の上端部は、前記内周テーパ部と同一テーパ値の外周テーパ部を有し、前記鋼管部（６）の内周テーパ部が前記下方コンクリートポール（２）の外周テーパ部に嵌合される、コンクリートポール用筒形キャップ。
【請求項１３】
請求項７又は８に記載の筒形キャップ（３）の製造方法において、
前記筒形キャップ（３）の鋼管部（６）は内周テーパ部を有し、該内周テーパ部は、上方から下方へ向けて拡径され且つ該鋼管部（６）が取付けられる下方コンクリートポール（２）の上端部のテーパと同一テーパ値を有する、コンクリートポール用筒形キャップの製造方法。
【請求項１４】
請求項９又は１０に記載の筒形キャップ（３）の取付方法において、
前記筒形キャップ（３）の鋼管部（６）は内周テーパ部を有し、該内周テーパ部は、上方から下方へ向けて拡径され且つ該鋼管部（６）が取付けられる下方コンクリートポール（２）の上端部のテーパと同一テーパ値を有する、コンクリートポール用筒形キャップの取付方法。
【発明の詳細な説明】
【技術分野】
【０００１】
本発明は、コンクリートポールの先端部に、コンクリート管と接合用鋼管とからなる筒形キャップを嵌合させることでコンクリートポールの実質的な作用長を拡張するようにしたコンクリートポール用筒形キャップ及びその製造方法、当該コンクリートポール用筒形キャップを備えたキャップ付きコンクリートポール及びその取付方法に関する。
【背景技術】
【０００２】
コンクリートポールの主な使用用途は、電力設備から送配電される電力を搬送する電力線や電話設備から送配信される信号を搬送する電話線を空中に架設した状態で支持する架線支持柱である。  
【０００３】
そして、電力線の架線に使用されるコンクリートポールの長さは１４ｍ〜１７ｍにもなり、このような長尺なコンクリートポールを荷物として運搬するには、道路法及び道路交通法で定める法規制を遵守することが求められている。
【０００４】
具体的には、全長１２ｍを超える車両は特殊車両扱いとなり、道路管理者に通行許可の申請を行う旨が道路法に定められている。又、車両からのはみ出し長さが、車両長さの１０％を超える荷物を運搬する場合は、警察に通行許可の申請をする旨が道路交通法に定められている。  
【０００５】
更に、道路管理者が荷物の長さや走行する道路環境等により、誘導車の設置や夜間走行の通行条件を満たすことを前提に上記通行許可の申請を認可する旨が道路法に規定されている。
【０００６】
従って、道路法の規定での車両長さは荷物も含めた長さが対象となるため、１２ｍまでの長さのコンクリートポールであれば上記法規制に触れることなくトラックで目的地に運搬することが可能になる。又、１２ｍを超える長さのコンクリートポールを運搬する場合には、上記法規制に従った通行許可の申請や誘導車の設置が必要になってくるため、申請に手間がかかり、審査期間（２週間〜２ヶ月）による工期の遅れや申請及び誘導車の確保等にも費用がかかってくる。
【０００７】
一方、上下２本のコンクリートポールをフランジ結合式継手部を利用して連結する分割式コンクリートポールとして下記の「特許文献１」に示すものが提案されている。このような分割式コンクリートポールを使用すれば上述した運搬時の通行許可の申請や誘導車の設置の義務は負わないが、１本もののコンクリートポールを使用する場合に比べてフランジ結合式継手部のコストが高いため全体の製品コストが２倍以上かかってしまうという問題点がある。
【０００８】
勿論、分割式コンクリートポールと比較して上下のポール全体を互いに材料の異なる鋼材で製造した分割式鋼管柱は、必要強度を確保することは可能であるが、１本もののコンクリートポールの場合に比べてコストが４〜５倍かかってしまうという問題点がある。
そこで他の従来の分割式コンクリートポールとして、下記の「特許文献２」に示す如く、コンクリートポールの上端に鋼管からなるキャップを嵌合させて連結することにより連結部分の簡易化でコストダウンを図ったものがあり、これによれば、全長１２ｍの車両を使用すれば運搬時の通行許可や誘導車の設置の義務を回避することが可能であり、且つ製品コストもフランジ結合式コンクリートポールよりも安価になる。
この場合、鋼管キャップ上端に曲げモーメントが作用したときに、下方のコンクリートポールは鋼管との嵌め合い長さ部分（鋼管キャップ長さの数分の１程度の長さ）のみでこの曲げモーメントを受け止めるため、上記嵌め合い長さが比較的短いことに起因してコンクリートポールの上端において上記曲げモーメントにより過度の圧縮力及び引張力を同時に生じて、コンクリートポールに埋設した複数の鉄筋がコンクリートポール上端から幾分抜け出てしまうと言うおそれがあった。
従って、上記「特許文献２」では、これを防止するために、コンクリートポールの上端面において上記複数の鉄筋の上端部を固着した定着板（「特許文献」２中の図３中、定着板４参照）を設けて、上記鉄筋の抜け出しを防止している。
しかしながら、この従来例によれば、キャップ全体が鋼製であるため、単なるコンクリート製のキャップを使用することを仮定したときこれに比して２倍程度のコストを要するという問題点があった。
【先行技術文献】
【特許文献】
【０００９】
【特許文献１】特開２００８−１３９５１号公報
【特許文献２】特開２０１４−８４６１４号公報
【発明の概要】
【発明が解決しようとする課題】
【００１０】
本発明の目的は、コンクリートポール用筒形キャップ（３）が、下方鋼管部（６）と上方筒形コンクリート部（７）とを互いに接続固定した構成を有することにより、分割式コンクリートポール特有の効果であるポール運搬時の通行許可や誘導車の設置の義務を回避すること。またフランジ結合式継手により上下のコンクリートポールを接合するものや、筒形キャップ全体が鋼製のものに比してコストを大幅に低減することである。
【課題を解決するための手段】
【００１１】
上記課題を解決するために、本発明のキャップ付きコンクリートポールは、内部に夫々長手方向に延びる複数の鉄筋（５）が埋設された所定長さの下方コンクリートポール（２）と、組立て時に該下方コンクリートポール（２）の先端部に嵌合されてコンクリートポールの作用長を拡張する所定長さのコンクリートポール用筒形キャップ（３）とを備える、キャップ付きコンクリートポール（１）において、前記コンクリートポール用筒形キャップ（３）は、前記下方コンクリートポール（２）に嵌合接続される下方鋼管部（６）と、上方筒形コンクリート部（７）とが、互いに接続固定されてなることを特徴とする。
【００１２】
又、本発明のコンクリートポール用筒形キャップは、所定長さの下方コンクリートポール（２）の先端部に嵌合されてコンクリートポールの作用長を拡張する所定長さのコンクリートポール用筒形キャップ（３）において、前記筒形キャップ（３）は、前記下方コンクリートポール（２）に嵌合接続される下方鋼管部（６）と、上方筒形コンクリート部（７）とが、互いに接続固定されてなることを特徴とする。
【００１３】
又、本発明のコンクリートポール用筒形キャップ（３）の製造方法は、その下方鋼管部（６）の鉄筋取付け部（９）に複数の鉄筋（８）を固着する工程と、前記複数の鉄筋（８）の周囲にコンクリート部（７ａ）をモールド成形して上方筒形コンクリート部（７）を形成する工程と、を備えることを特徴とする。
【００１４】
又、本発明のキャップ付きコンクリートポールの取付方法は、所定長さの下方コンクリートポール（２）を地中に埋設する工程と、コンクリートポール用筒形キャップ（３）の下方鋼管部（６）を前記下方コンクリートポール（２）の上端部に嵌合させて、前記コンクリートポール用筒形キャップ（３）を下方コンクリートポール（２）に嵌合接続してキャップ付きコンクリートポール（１）を得る工程と、を備えることを特徴とする。
【００１５】
好ましくは、前記下方鋼管部（６）は、下方コンクリートポール（２）に対して嵌合装着される嵌合部（６ａ）と、前記上方筒形コンクリート部（７）に埋設される鉄筋（８）を取り付けられる鉄筋取付け部（９）と、を具備し、前記上方筒形コンクリート部（７）は、前記鉄筋（８）と、該鉄筋（８）の周囲にモールド成形されたコンクリート部（７ａ）と、を具備することが望ましい。
【００１６】
又、好ましくは、前記コンクリートポール用筒形キャップ（３）の前記下方鋼管部（６）は、肉厚（ｔ１）が４〜８ｍｍ、好ましくは６ｍｍの鋼管材料によって形成され、且つ前記コンクリートポール用筒形キャップ（３）の前記上方筒形コンクリート部（７）は、肉厚（ｔ２）が３５〜７０ｍｍのコンクリート材料によって形成されていることが望ましい。
前記下方鋼管部（６）および前記上方コンクリート部（７）、下方コンクリートポール（２）は電線やトランスなどの固定荷重や積雪荷重、台風等の暴風による負荷される風荷重あるいは地震発生時に揺れの慣性力を外力とした地震力などの荷重やせん断力に耐えうるように外形と肉厚を設計されている。
また、前記キャップ付きコンクリートポール（１）において、前記コンクリートポール用筒形キャップ（３）の下方鋼管部（６）は上方から下方へ向けて拡径される内周テーパ部を有し、且つ前記下方コンクリートポール（２）の上端部は、前記内周テーパ部と同一テーパ値の外周テーパ部を有し、前記鋼管部（６）の内周テーパ部が前記下方コンクリートポール（２）の外周テーパ部に密着的に嵌合される。
【００１７】
また、前記コンクリートポール用筒形キャップ（３）において、前記筒形キャップ（３）の下方鋼管部（６）は上方から下方へ向けて拡径される内周テーパ部を有し、且つ前記下方コンクリートポール（２）の上端部は、前記内周テーパ部と同一テーパ値の外周テーパ部を有し、前記鋼管部（６）の内周テーパ部が前記下方コンクリートポール（２）の外周テーパ部に嵌合される。
また、前記筒形キャップ（３）の鋼管部（６）は内周テーパ部を有し、該内周テーパ部は、上方から下方へ向けて拡径され且つ該鋼管部（６）が取付けられる下方コンクリートポール（２）の上端部のテーパと同一テーパ値を有する。
また、前記筒形キャップ（３）の鋼管部（６）は内周テーパ部を有し、該内周テーパ部は、上方から下方へ向けて拡径され且つ該鋼管部（６）が取付けられる下方コンクリートポール（２）の上端部のテーパと同一テーパ値を有する。
【発明の効果】
【００１８】
（１）本発明によれば、所定長さの下方コンクリートポール２と、組立て時に該下方コンクリートポール２の先端部に嵌合されてコンクリートポールの作用長を拡張する所定長さのコンクリートポール用筒形キャップ３と、が備えられており、前記コンクリートポール用筒形キャップ３が、前記下方コンクリートポール２に嵌合接続される下方鋼管部６と、上方筒形コンクリート部７と、が互いに接続固定されている。
【００１９】
これにより、分割式コンクリートポール特有の効果であるポール運搬時の通行許可や誘導車の設置の義務を回避し得る。又、コンクリートポール用筒形キャップ３の接続部分（継手部分）のみが鋼製で残りの部分がコンクリート製であるため、フランジ結合式継手により上下のコンクリートポールを接合するものや、筒形キャップ全体が鋼製のものに比してコストを大幅に低減し得る効果が得られる。
（２）又、前記下方鋼管部６を、下方コンクリートポール２に対して嵌合装着される嵌合部６ａと、前記上方筒形コンクリート部７に埋設される鉄筋８が取り付けられる鉄筋取付け部９と、を具備することによって構成し、前記上方筒形コンクリート部７を、前記鉄筋８と、該鉄筋８の周囲にモールド成形されたコンクリート部７ａと、を具備することによって構成した場合には、コストを低く抑えつつ、必要な剛性を確保することが可能になる。
（３）又、前記コンクリートポール用筒形キャップ３の下方鋼管部６を肉厚ｔ１が４〜８ｍｍ、好ましくは６ｍｍの鋼管材料によって形成し、且つ前記コンクリートポール用筒形キャップ３の上方筒形コンクリート部７を肉厚ｔ２が３５〜７０ｍｍによって形成した場合には、重量が必要以上に重くならず、運搬や設置が容易で、必要な剛性が得られるコンクリートポール用筒形キャップ３が得られるようになる。
（４）施工においてもフランジ接合式分割柱と比較して、ボルト接合などの作業を必要とせず、嵌合するだけで作業は完了するので、大幅な施工時間の短縮が出来る。
（５）嵌合部分の上下柱の密着度も、特許文献２のような上部柱全体が鋼管である上柱と比較してコンクリート部分が大部分を占めるので重量も大きくなり、テーパ形状の密着がより促進されることになり、強固な接合が可能になる。
（６）また、上下のポールが互いに材料の異なる鋼材で作成した分割式交換柱に比しても、本発明では、下方ポールはコンクリートポールで且つ上方ポールも接合部以外はコンクリートポールであるから、製造コストを大幅に低減し得る。
【図面の簡単な説明】
【００２０】
【図１】本発明の実施の形態を示す図で、キャップ付きコンクリートポールを示す斜視図である。
【図２】本発明の実施の形態を示す図で、コンクリートポール用筒形キャップの製造方法を構成する各工程を段階的に示す側断面図である。
【図３】本発明の実施の形態を示す図で、完成したコンクリートポール用筒形キャップを一部破断して示す側面図である。
【図４】本発明の実施の形態を示す図で、下方鋼管部を示す側面図（ａ）と平面図（ｂ）である。
【図５】本発明の実施の形態を示す図で、キャップ付きコンクリートポールの取付方法を示す側面図である。
【図６】本発明の実施の形態を示す図で、完成したキャップ付きコンクリートポールを示す側面図（ａ）と、（ａ）中の矢視ｂ部の拡大図（ｂ）である。
【図７】本発明の実施の形態を示す図で、筒形キャップと下方コンクリートポールとを嵌合接続した部分をテーパ値を拡大して示す略図である。
【発明を実施するための形態】
【００２１】
以下、本発明に係るキャップ付きコンクリートポール１の構造及びその取付方法と、該キャップ付きコンクリートポール１に使用されるコンクリートポール用筒形キャップ３の構造及びその製造方法について図示の実施の形態を例にとって説明する。
（１）キャップ付きコンクリートポールの構造
最初に、図１及び図５、６に基づいて本実施の形態に係るキャップ付きコンクリートポール１の構造について説明する。  
【００２２】
本発明のキャップ付きコンクリートポール１は、電力線や電話線等の架線支持柱として利用できる他、ケーブルテレビ・有線放送・ＰＨＳアンテナ用の通信線、無線ＬＡＮケーブル、水道やガスメーターの監視線、交通信号の制御線、道路交通情報通信システム（ＶＩＣＳ（登録商標））の情報線や地域気象観測システム（ＡＭｅＤＡＳ）の情報線等、種々の架線支持柱として利用可能である。  
【００２３】
本発明のキャップ付きコンクリートポール１は、図１及び図５、６に示す如く、内部に夫々長手方向Ｚに延びる複数の鉄筋５が埋設された所定長さＬの下方コンクリートポール２と、組立て時に該下方コンクリートポール２の先端部に嵌合されてコンクリートポールの作用長Ｍを拡張する所定長さＲのコンクリートポール用筒形キャップ３と、を備えることによって基本的に構成されている。
【００２４】
そして、前記コンクリートポール用筒形キャップ３を備えたことが本発明の特徴になっており、該コンクリートポール用筒形キャップ３は、前記下方コンクリートポール２に嵌合接続される下方鋼管部６と、上方筒形コンクリート部７と、が互いに接続固定されることによって構成されている。  
【００２５】
下方コンクリートポール２は、例えば上端面（末口）２０と下端面（元口）２１が解放されているコンクリート製の長尺な円管状の部材によって構成されている。そして、該下方コンクリートポール２の側胴部２２の内部には、複数本（例えば８本）の鉄筋５が同一円周上に例えば等間隔で埋設されていて曲げ性能の向上が図られている。  
【００２６】
尚、下方コンクリートポール２の上端面（末口）２０の外径Ｄ１は、下方コンクリートポール２の下端面（元口）２１の外径Ｄ０よりも小さくなるように設定されている。具体的には、本実施の形態では、上端面（末口）２０の外径Ｄ１が約２９７ｍｍ、下端面（元口）２１の外径Ｄ０が約４０３ｍｍ、ポールの長さＬが約８ｍの、下端面（元口）２１から上端面（末口）２０にかけて緩やかな傾斜を有する管形状の下方コンクリートポール２が使用されている。
【００２７】
コンクリートポール用筒形キャップ３は、前述したように下方鋼管部６と上方筒形コンクリート部７とが互いに接続固定された部材であり、コンクリートポール用筒形キャップ３の上端面（末口）３０の外径Ｄ２が約２０３ｍｍ、下端面（元口）３１の外径Ｄ３が約３１６ｍｍ、下端面（元口）３１の内径Ｈ３が約３０４ｍｍ、キャップ全体の長さＲが約８．５ｍの、下端面３１から上端面３０にかけて緩やかな傾斜を有する管形状の鋼管とコンクリートポールを組み合わせた複合部材である。
【００２８】
尚、前記下方コンクリートポール２とコンクリートポール用筒形キャップ３の嵌合長さＮは例えば約５００ｍｍであり、下方コンクリートポール２の先端部にコンクリートポール用筒形キャップ３を嵌合させたキャップ付きコンクリートポール１の作用長Ｍは約１６ｍである。
【００２９】
尚、図７（テーパ値を拡大して示す）に示す如く、コンクリートポール用筒形キャップ３の下方鋼管部６には、内周テーパ部６ｂが設けられ、また下方コンクリートポール２の上端部には外周テーパ部２ａが設けられ、前記内周テーパ部６ｂと外周テーパ部２ａとは略同一のテーパ値を有する。このため、後述する如く、筒形キャップ３を下方コンクリートポール２の上端部に嵌合させたとき、両テーパ部６ｂ及び２ａは密着的に強固に嵌合する。なお、テーパ値は、一例として、１／７５である。
（２）コンクリートポール用筒形キャップの構造
次に、図３乃至図５に基づいて本実施の形態に係るコンクリートポール用筒形キャップ３の構造について更に詳しく説明する。  
【００３０】
本発明のコンクリートポール用筒形キャップ３は、前述のように下方鋼管部６と、上方筒形コンクリート部７と、を接続固定することによって基本的に構成されている。  
【００３１】
下方鋼管部６は、前記下方コンクリートポール２に対して嵌合装着される嵌合部６ａと、前記上方筒形コンクリート部７に埋設される鉄筋８を取り付けられる鉄筋取付け部９（図４参照）と、を具備しており、上方筒形コンクリート部７は、鉄筋８と該鉄筋８の周囲にモールド成形されたコンクリート部７ａと、を具備することによって構成されている。
【００３２】
具体的には、本実施の形態では図４に示す如く、上端面（末口）６０の外径Ｄ４が約３０６ｍｍで内径Ｈ４が約２９４ｍｍ、下端面（元口）６１の外径Ｄ５が約３１６ｍｍで内径Ｈ５が約３０４ｍｍ、長さＲ１が約８００ｍｍのテーパ円管形状の側胴部６２と、該側胴部６２内の空間を所定深さの位置で仕切る円環状の鉄筋取付け部９と、を具備することによって下方鋼管部６は構成されている。
【００３３】
そして、前記側胴部６２の肉厚ｔ１は、例えば４〜８ｍｍ、好ましくは６ｍｍの、上端面（末口）６０と下端面（元口）６１が共に開放された鋼管材料によって形成されている。又、鉄筋取付け部９の板厚Ｔは例えば９ｍｍであり、該鉄筋取付け部９の取付位置は、前記側胴部６２の上端面（末口）６０からの深さＥ１が例えば１００ｍｍ、前記側胴部６２の下端面（元口）６１からの深さＥ２が例えば６９１ｍｍの位置に設定されている。  
【００３４】
又、鉄筋取付け部９には、図４（ｂ）に示す如く、例えば１８個の穴部９ａが同一円周上に図示のような配置で設けられている。  
【００３５】
尚、前記穴部９ａには、上方筒形コンクリート部７の下端面（元口）７１から突出する鉄筋８の先端部が挿嵌され、ナット１０を使用して該鉄筋８は、鉄筋取付け部９を介して下方鋼管部６と一体に構成されている。（図２、図３、図６（ｂ）参照）
上方筒形コンクリート部７は、例えば上端面（末口）７０と下端面（元口）７１が開放されているコンクリート製の長尺な円管状の部材によって構成されている。そして、該上方筒形コンクリート部７の側胴部７２の内部には、前記鉄筋取付け部９の穴部９ａに対応した例えば１８本の鉄筋８が埋設されていて曲げ性能の向上が図られている。  
【００３６】
尚、上方筒形コンクリート部７の上端面（末口）７０の外径Ｄ２は、上方筒形コンクリート部７の下端面（元口）７１の外径Ｄ６よりも小さくなるように設定されている。具体的には、本実施の形態では、上端面（末口）７０の外径Ｄ２が約２０３ｍｍ、下端面（元口）７１の外径Ｄ６が約２９４ｍｍ、ポールの長さＲ２が約７．８ｍの、下端面（元口）７１から上端面（末口）７０にかけて緩やかな傾斜を有するテーパ管形状のコンクリートポールが使用されている。
【００３７】
そして、前記上方筒形コンクリート部７の側胴部７２の肉厚ｔ２（図３、図６（ｂ）参照）は、例えば３５〜７０ｍｍの上端面（末口）７０と下端面（元口）７１が共に開放されたコンクリート材料によって形成されている。尚、このようにして構成される下方鋼管部６と上方筒形コンクリート部７を鉄筋とコンクリートにより連結させたコンクリートポール用筒形キャップ３の全体の長さＲは、前述したように例えば約８．５ｍに設定されている。
（３）コンクリートポール用筒形キャップ３の製造方法
本発明のコンクリートポール用筒形キャップ３の製造方法は、図２及び図３に示す如く、下方鋼管部６の鉄筋取付け部９に複数の鉄筋８を固着する工程と、前記複数の鉄筋８の周囲にコンクリート部７ａをモールド成形して上方筒形コンクリート部７を形成する工程と、を備えることによって基本的に構成されている。  
【００３８】
具体的には、図２（ａ）に示す如く、鉄筋８をカゴ状に組んだ鉄筋カゴ１１を製作し、該鉄筋カゴ１１を下方鋼管部６の上端面（末口）６０側の開放部から挿し込む。次に、図２（ｂ）に示す如く、鉄筋カゴ１１の長手方向Ｚに延びている鉄筋８の元口側の端部を下方鋼管部６の鉄筋取付け部９に形成されている穴部９ａ（図４参照）に挿し込んでナット１０で固定する。  
【００３９】
尚、前記図２（ａ）（ｂ）に示す作業は鉄筋カゴ１１と下方鋼管部６を水平状態にして行う。続いて、図２（ｃ）に示すように前記鉄筋カゴ１１を覆うように型枠１２を設置し、該型枠１２を水平状態で型枠１２内にコンクリート原料を流し込んで行く。そして、型枠１２内に充填されたコンクリート原料は、前記型枠１２を高速回転させることによって発生する遠心力により型枠１２の内周面に張り付き、図３に示す如く、筒状の上方筒形コンクリート部７にモールド成形される。
（４）キャップ付きコンクリートポール１の取付方法
本発明のキャップ付きコンクリートポールの取付方法は、図５及び図６に示す如く、前記下方コンクリートポール２を地中Ｇに埋設する工程と、前記コンクリートポール用筒形キャップ３の下方鋼管部６を前記下方コンクリートポール２の上端部に嵌合させて、コンクリートポール用筒形キャップ３と下方コンクリートポール２を接続してキャップ付きコンクリートポール１を得る工程と、を備えることによって基本的に構成されている。
【００４０】
具体的には、図５に示す如く、下方コンクリートポール２を所定深さ地中Ｇに埋設して固定する。次に、図５及び図６に示す如く、下方コンクリートポール２の上端部にコンクリートポール用筒形キャップ３を被せるようにして取り付けることによってキャップ付きコンクリートポール１が完成する。
【００４１】
また、このようにして完成したキャップ付きコンクリートポール１では、図６（ｂ）及び図７に示す如く、相対的に、下方コンクリートポール２の上端部の外周テーパ部２ａが下方鋼管部６の下端面（元口）６１から所定深さ下方鋼管部６の内周テーパ部６ｂの内部空間に入り込んで密着的に嵌合しており、当該入り込んだ部分が下方コンクリートポール２とコンクリートポール用筒形キャップ３の嵌合部６ａになって、その嵌合長さＮは前述したように例えば約５００ｍｍに設定されている。
【００４２】
そして、このようにして完成したキャップ付きコンクリートポール１の作用長Ｍは約１６ｍになり、電力線の架線等に使用できる長尺なコンクリートポールが得られる。このとき、筒形キャップ３及び下方コンクリートポール２の取付方法としては、単に前者を後者に対して両テーパ部６ｂ及び２ａが嵌合するように取付けるだけで良く作業が極めて簡単であり、またこの場合、筒形ヤップ３は、特許文献２のような上部柱全体が鋼管である上柱と比較してコンクリート部分が大部分を占めるので重量が大きくなり、テーパ形状の密着がより促進されるので、上記嵌合は密着的且つ堅固に行われる。かくして、筒形キャップ３及び下方コンクリートポール２は、あたかも一体物の如く機能するため、曲げ性能は大幅に向上する。また、筒形キャップ３及び下方コンクリートポール２を相互に固定するためのフランジ結合式に比してボルト取付け作業等も不要であるから、取付コスト及び取付時間を大幅に低減し得る。
又、当該キャップ付きコンクリートポール１の運搬時には、長さＬが約８ｍの下方コンクリートポール２と長さＲが約８．５ｍのコンクリートポール用筒形キャップ３を別々にして運搬できるから、運搬時の通行許可や誘導者の設置義務を回避することが可能になる。
【００４３】
又、コンクリートポール用筒形キャップ３の接続部分に存する下方鋼管部６のみが鋼製で残りの部分がコンクリート製であるため、コストを低く抑えつつ、必要な剛性を確保し得るキャップ付きコンクリートポール１が提供できるようになる。
【００４４】
以上が本発明の基本的な実施の形態であるが、本発明のコンクリートポール用筒形キャップ３及びその製造方法、キャップ付きコンクリートポール１及びその取付方法は、前述した実施の形態に限定されるものではなく、本発明の要旨を逸脱しない範囲内の部分的構成の変更や省略、あるいは当業者において周知、慣用の技術を追加することが可能である。  
【産業上の利用可能性】
【００４５】
本発明は、コンクリートポールの先端部に筒形キャップを取り付けることによって作用長を拡張するようにしたキャップ付きコンクリートポールの製造、施工分野等で利用でき、特にコストを低く抑えつつ、必要な剛性を確保し得るキャップ付きコンクリートポールを提供したい場合に利用可能性を有する。
【符号の説明】
【００４６】
１  キャップ付きコンクリートポール
２  下方コンクリートポール
２ａ  外周テーパ部
３  コンクリートポール用筒形キャップ
５  鉄筋（下方コンクリートポール用）
６  下方鋼管部
６ａ  嵌合部
６ｂ  内周テーパ部
７  上方筒形コンクリート部
７ａ  コンクリート部
８  鉄筋（上方筒形コンクリート部用）
９  鉄筋取付け部
９ａ  穴部
１０  ナット
１１  鉄筋カゴ
１２  型枠
２０  上端面（末口）
２１  下端面（元口）
２２  側胴部
３０  上端面（末口）
３１  下端面（元口）
６０  上端面（末口）
６１  下端面（元口）
６２  側胴部
７０  上端面（末口）
７１  下端面（元口）
７２  側胴部
Ｚ  長手方向
Ｌ  長さ（下方コンクリートポール）
Ｍ  作用長
Ｎ  嵌合長さ
Ｒ  長さ（コンクリートポール用筒形キャップ）
Ｄ  外径
Ｈ  内径
Ｅ  深さ
ｔ  肉厚
Ｔ  板厚
Ｇ  地中
【図１】
2016113889.tif 000003
【図２】
2016113889.tif 000004
【図３】
2016113889.tif 000005
【図４】
2016113889.tif 000006
【図５】
2016113889.tif 000007
【図６】
2016113889.tif 000008
【図７】
2016113889.tif 000009